(57)【要約】【課題】  自然な姿勢で上方からも下方からも把手に指先だけを掛けて容易に引き出すことのできる引出し収納部を備えたシステムキッチン。【解決手段】  引出し収納部の把手（２０）は、引出し収納部の前面から間隔を隔てて横方向に延びる本体部（２０ａ）を有し、本体部の引出し収納部側の面は、引出し収納部を引き出す際に掛けられる指先の形状に応じた曲面形状を有する。本体部の引出し収納部側の面は、引出し収納部の前面に向かって凸曲面状の上側部分（２０ａａ）と、この上側部分と滑らかに連接し且つ引出し収納部の前面に向かって凹曲面状の下側部分（２０ａｂ）とを有する。凹曲面状の下側部分は、指先の腹と相補的な形状を有する。【選択図】  図３
2005137590.tif 000002
【特許請求の範囲】
【請求項１】
引出し収納部を有するシステムキッチンにおいて、
前記引出し収納部の把手は、前記引出し収納部の前面から間隔を隔てて横方向に延びる本体部を有し、
前記本体部の引出し収納部側の面は、前記引出し収納部を引き出す際に掛けられる指先の形状に応じた曲面形状を有することを特徴とするシステムキッチン。
【請求項２】
前記本体部の引出し収納部側の面は、前記引出し収納部の前面に向かって凸曲面状の上側部分と、該上側部分と滑らかに連接し且つ前記引出し収納部の前面に向かって凹曲面状の下側部分とを有することを特徴とする請求項１に記載のシステムキッチン。
【請求項３】
前記凹曲面状の下側部分は、指先の腹と相補的な形状を有することを特徴とする請求項２に記載のシステムキッチン。
【発明の詳細な説明】
【技術分野】
【０００１】
本発明は、システムキッチンに関し、特にシステムキッチンの引出し収納部の把手の形態に関するものである。
【背景技術】
【０００２】
従来、システムキッチンの引出し収納部には、バーハンドル型の把手、掘り込み型の把手、ライン型の把手などが設けられている。また、最近では、閉めるときに機構により自然に引き込まれるタイプ（以下、「引込みタイプ」という）の引出し収納部が用いられている。
【発明の開示】
【発明が解決しようとする課題】
【０００３】
引込みタイプの引出し収納部や重い内容物の詰まった引出し収納部を引き出すには比較的大きな力が必要になるが、掘り込み型の把手やライン型の把手の場合には力が入りにくく、ひいては引出し収納部を引き出しにくいという不都合があった。
【０００４】
また、バーハンドル型の把手の場合には、把手を完全に握って引き出す姿勢をとることにより十分な力を作用させて引出し収納部を引き出すことができるが、自然な姿勢で上方から把手に指先だけを掛けて引出し収納部を引き出したり、下方から把手に指先だけを掛けて引出し収納部を引き出したりすることが困難であるという不都合があった。
【０００５】
本発明は、前述の課題に鑑みてなされたものであり、自然な姿勢で上方からも下方からも把手に指先だけを掛けて容易に引き出すことのできる引出し収納部を備えたシステムキッチンを提供することを目的とする。
【課題を解決するための手段】
【０００６】
前記課題を解決するために、本発明では、引出し収納部を有するシステムキッチンにおいて、
前記引出し収納部の把手は、前記引出し収納部の前面から間隔を隔てて横方向に延びる本体部を有し、
前記本体部の引出し収納部側の面は、前記引出し収納部を引き出す際に掛けられる指先の形状に応じた曲面形状を有することを特徴とするシステムキッチンを提供する。
【０００７】
本発明の好ましい態様によれば、前記本体部の引出し収納部側の面は、前記引出し収納部の前面に向かって凸曲面状の上側部分と、該上側部分と滑らかに連接し且つ前記引出し収納部の前面に向かって凹曲面状の下側部分とを有する。この場合、前記凹曲面状の下側部分は、指先の腹と相補的な形状を有することが好ましい。
【発明の効果】
【０００８】
本発明では、引出し収納部の把手が、引出し収納部の前面から間隔を隔てて横方向に延びる本体部を有する。そして、この本体部の引出し収納部側の面が、引出し収納部を引き出す際に掛けられる指先の形状に応じた曲面形状を有する。
【０００９】
換言すれば、引出し収納部の把手がバーハンドル型であって、バーを構成する本体部の内側面が指先の形状に応じた曲面形状に設定されている。その結果、本発明では、自然な姿勢で上方からも下方からも把手に指先だけを掛けて、十分な力を作用させて引出し収納部を容易に引き出すことができる。
【００１０】
本発明では、本体部の引出し収納部側の面が、引出し収納部の前面に向かって凸曲面状の上側部分と、この上側部分と滑らかに連接し且つ引出し収納部の前面に向かって凹曲面状の下側部分とを有することが好ましい。この構成により、たとえば上方から把手に指先を掛ける場合、各指の第１関節（各指において最も先にある関節）が凸曲面状の上側部分に掛かった状態で、十分な力を作用させて引出し収納部を容易に引き出すことができる。
【００１１】
また、本発明では、上述の凹曲面状の下側部分が、指先の腹と相補的な形状を有することが好ましい。この構成により、たとえば下方から把手に指先を掛ける場合、各指先の腹が凹曲面状の下側部分に掛かった状態で、十分な力を作用させて引出し収納部を容易に引き出すことができる。
【発明を実施するための最良の形態】
【００１２】
本発明の実施形態を、添付図面に基づいて説明する。
図１は、本発明の実施形態にかかるシステムキッチンの構成を概略的に示す斜視図である。また、図２は、図１に示すシステムキッチンにおいて各収納部が開いた様子を示す斜視図である。さらに、図３は、図１および図２に示す引出し収納部の把手の構成を概略的に示す図であって、（ａ）は把手を下から見た底面図であり、（ｂ）は（ａ）の線Ａ−Ａに沿った断面図である。
【００１３】
図１および図２を参照すると、本実施形態のシステムキッチンＳは、床Ｆの上に載置されたベースキャビネット１を備えている。ベースキャビネット１の上部には、システムキッチンＳに向かって左側からガスコンロ（または電気コンロ）２と、一対のカウンタ３ａおよび３ｂとが設けられ、この一対のカウンタ３ａと３ｂとの間にはシンク４が形成されている。また、シンク４に隣接して、たとえば湯水混合型の水栓（不図示）が設けられている。
【００１４】
ベースキャビネット１は、水平方向に延びるバーハンドル型の把手を有する５つの引出し収納部１１〜１５を備えている。すなわち、ガスコンロ２の下方には引出し収納部１１が、ガスコンロ２とシンク４との間の第１カウンタ３ａの下方には引出し収納部１２および１３が、シンク４の下方には引出し収納部１４が、シンク４よりも端部側の第２カウンタ３ｂの下方には引出し収納部１５がそれぞれ設けられている。
【００１５】
上述したように、５つの引出し収納部１１〜１５は、水平方向に延びるバーハンドル型の把手を有する。そして、各引出し収納部１１〜１５に設けられた把手は、基本的に同じ構成を有する。以下、図３を参照して、各引出し収納部１１〜１５に設けられた把手２０の構成および作用を説明する。
【００１６】
図３（ａ）を参照すると、本実施形態にかかる把手２０は、引出し収納部（１１〜１５）の前面から間隔を隔てて横方向に延びる本体部２０ａと、本体部２０ａの両端から引出し収納部（１１〜１５）の前面に向かって延びる一対の端部２０ｂとにより一体的に構成されている。一対の端部２０ｂには雌ねじ２１が刻設されており、引出し収納部（１１〜１５）の前面パネル（不図示）を内側から貫通したビス（不図示）が雌ねじ２１と螺合することにより、把手２０が引出し収納部（１１〜１５）の前面パネルに取り付けられる。
【００１７】
次いで、図３（ｂ）を参照すると、本実施形態にかかる把手２０の本体部２０ａは、引出し収納部（１１〜１５）の前面に向かって（図３（ｂ）中において下側に向かって）凸曲面状の上側部分２０ａａと、この上側部分２０ａａと滑らかに連接し且つ引出し収納部（１１〜１５）の前面に向かって凹曲面状の下側部分２０ａｂとを有する。ここで、凹曲面状の下側部分２０ａｂは、指先の腹と相補的な形状を有する。
【００１８】
以上のように、本実施形態では、引出し収納部（１１〜１５）の把手２０の本体部２０ａの引出し収納部側の面が、引出し収納部（１１〜１５）を引き出す際に掛けられる指先の形状に応じた曲面形状を有する。その結果、本実施形態では、自然な姿勢で上方からも下方からも把手２０に指先だけを掛けて、十分な力を作用させて引出し収納部（１１〜１５）を容易に引き出すことができる。
【００１９】
特に、本実施形態では、本体部２０ａの引出し収納部側の面が、引出し収納部（１１〜１５）の前面に向かって凸曲面状の上側部分２０ａａと、この上側部分２０ａａと滑らかに連接し且つ引出し収納部（１１〜１５）の前面に向かって凹曲面状の下側部分２０ａｂとを有する。したがって、たとえば上方から把手２０に指先を掛ける場合、各指の第１関節（各指において最も先にある関節）が凸曲面状の上側部分２０ａａに掛かった状態で、十分な力を作用させて引出し収納部（１１〜１５）を容易に引き出すことができる。
【００２０】
また、本実施形態では、把手２０の本体部２０ａの凹曲面状の下側部分２０ａｂが指先の腹と相補的な形状を有するので、たとえば下方から把手２０に指先を掛ける場合、各指先の腹が凹曲面状の下側部分２０ａｂに掛かった状態で、十分な力を作用させて引出し収納部（１１〜１５）を容易に引き出すことができる。
【００２１】
なお、上述の実施形態では、ベースキャビネットの引出し収納部の把手に対して本発明を適用しているが、これに限定されることなく、システムキッチンに設けられる他の適当な引出し収納部の把手に対しても本発明を適用することができる。
【図面の簡単な説明】
【００２２】
【図１】本発明の実施形態にかかるシステムキッチンの構成を概略的に示す斜視図である。
【図２】図１に示すシステムキッチンにおいて各収納部が開いた様子を示す斜視図である。
【図３】図１および図２に示す引出し収納部の把手の構成を概略的に示す図であって、（ａ）は把手を下から見た底面図であり、（ｂ）は（ａ）の線Ａ−Ａに沿った断面図である。
【符号の説明】
【００２３】
Ｓ  システムキッチン
Ｆ  床
１  ベースキャビネット
２  ガスコンロ（または電気コンロ）
３  カウンタ
４  シンク
１１〜１５  引出し収納部
２０  把手
２０ａ  把手の本体部
２０ａａ  本体部の上側部分
２０ａｂ  本体部の下側部分
２０ｂ  把手の端部
２１  雌ねじ
【図１】
2005137590.tif 000003
【図２】
2005137590.tif 000004
【図３】
2005137590.tif 000005